(57)【要約】【課題】動画撮影中における静止画撮影を実現するために、動画撮影の開始/停止のトリガボタンと静止画撮影のトリガボタンは、それぞれ別々のボタンを用いる構成が提案されているが、このように構成することは装置の小型化の妨げとなっている。【解決手段】撮像手段からの信号により動画像データを作成する動画処理部と、撮像手段からの信号により動画データとともに静止画データを作成する静止画処理部と、動画データ及び静止画データを記録媒体に記録する記録部と、ユーザ操作により、動画像データの記録の開始及び停止と静止画データの記録とを指示する入力部と、入力部による入力開始から停止までの時間によって、動画像データの記録中に、静止画データを記録するか、あるいは動画データの記録を停止するかを判断する制御部とを備える。【選択図】図1
2007243766.tif 000002
【特許請求の範囲】
【請求項１】
被写体を撮影する撮像手段と、
前記撮像手段からの信号により動画像データを作成する動画処理部と、
前記撮像手段からの信号により前記動画データとともに静止画データを作成する静止画処理部と、
前記動画データ及び前記静止画データを記録媒体に記録する記録部と、
ユーザ操作により、前記動画像データの記録の開始及び停止と前記静止画データの記録とを指示する入力部と、
前記入力部による入力開始から停止までの時間によって、前記動画像データの記録中に、前記静止画データを記録するか、あるいは前記動画データの記録を停止するかを判断する制御部とを備えた映像記録装置。
【請求項２】
前記制御部において、前記入力部による入力開始から停止までの時間が閾値以上の場合に、前記動画データの記録を停止し、
前記入力部による入力開始から停止までの時間が閾値より短い場合に、前記静止画データを記録する請求項1に記載の映像記録装置。
【請求項３】
前記制御部において、前記入力部による入力開始から停止までの時間が閾値以上の場合に、前記静止画データを記録し、
前記入力部による入力開始から停止までの時間が閾値より短い場合に、前記動画データの記録を停止する請求項1に記載の映像記録装置。
【発明の詳細な説明】
【技術分野】
【０００１】
本発明は、動画撮影中に静止画を撮影する映像記録装置に関するものである。
【背景技術】
【０００２】
近年、ビデオカメラにおいて、動画撮影機能だけでなく、静止画も撮影できる機能が付加されるようになっている。
【０００３】
動画撮影中における静止画撮影を実現するために、動画撮影の開始/停止のトリガボタンと静止画撮影のトリガボタンは、それぞれ別々のボタンを用いる構成が提案されているが、このように構成することは装置の小型化の妨げとなっている。
【０００４】
この問題に対し、特許文献１では、動画撮影のトリガボタンと静止画撮影のトリガボタンとを１つにし、押圧時の強さによって動画撮影なのか静止画撮影なのかを判断する構成が提案されている。
【特許文献１】特開平１０−１９１２２５号公報
【発明の開示】
【発明が解決しようとする課題】
【０００５】
しかしながら、押圧時の強さによる動画/静止画撮影の判断では、例えば、動画撮影中に静止画を撮影しようとした場合、誤って、強く押してしまい、動画撮影を停止してしまう可能性があり、操作者が誤操作を行う可能性が高いという問題があった。
【課題を解決するための手段】
【０００６】
上記課題を解決するために、本発明の映像記録装置は、被写体を撮影する撮像手段と、前記撮像手段からの信号により動画像データを作成する動画処理部と、前記撮像手段からの信号により前記動画データとともに静止画データを作成する静止画処理部と、前記動画データ及び前記静止画データを記録媒体に記録する記録部と、ユーザ操作により、前記動画像データの記録の開始及び停止と前記静止画データの記録とを指示する入力部と、前記入力部による入力開始から停止までの時間によって、前記動画像データの記録中に、前記静止画データを記録するか、あるいは前記動画データの記録を停止するかを判断する制御部とを備える。
【発明の効果】
【０００７】
本発明の映像記録装置は、入力部を構成するトリガボタンを押下してから離すまでの時間によって、動画撮影中に静止画撮影を行うのか、動画撮影を停止するのかを判断するため、動画撮影中の静止画撮影時に誤って動画を停止させることなく静止画を撮影できるという利点がある。
【０００８】
また、複数のボタンによる操作の煩雑性をなくすことができ、ユーザーは容易に操作ができるという利点がある。
【発明を実施するための最良の形態】
【０００９】
本発明の映像記録装置は、被写体を撮影する撮像手段と、前記撮像手段からの信号により動画像データを作成する動画処理部と、前記撮像手段からの信号により前記動画データとともに静止画データを作成する静止画処理部と、前記動画データ及び前記静止画データを記録媒体に記録する記録部と、ユーザ操作により、前記動画像データの記録の開始及び停止と前記静止画データの記録とを指示する入力部と、前記入力部による入力開始から停止までの時間によって、前記動画像データの記録中に、前記静止画データを記録するか、あるいは前記動画データの記録を停止するかを判断する制御部とを備えることにより、動画撮影中の入力部を構成するトリガボタンの操作において、動画撮影を停止するか、静止画撮影を行うかを選択することが可能であるという作用を有する。
【００１０】
本発明の映像記録装置は、前記制御部において、前記入力部による入力開始から停止までの時間が閾値以上の場合に、前記動画データの記録を停止し、前記入力部による入力開始から停止までの時間が閾値より短い場合に、前記静止画データを記録するとしても良い。
【００１１】
本発明の映像記録装置は、前記制御部において、前記入力部による入力開始から停止までの時間が閾値以上の場合に、前記静止画データを記録し、前記入力部による入力開始から停止までの時間が閾値より短い場合に、前記動画データの記録を停止するとしても良い。
【００１２】
（実施の形態１）
以下、本発明の映像記録装置の実施の形態１について、図面を用いて詳細に説明する。
【００１３】
図１は本発明の実施の形態１における映像記録装置の構成例を示すブロック図であり、撮影した動画データ及び静止画データを第１の記録部を介して第１の記録媒体へ記録する場合を示している。また、図２は撮影した動画データを第１の記録部を介して第１の記録媒体へ記録し、静止画データを第２の記録部を介して第２の記録媒体へ記録する場合の構成例を示すブロック図である。
【００１４】
図１において、１０１は、映像信号を取り込むカメラであり、１０３は、カメラによって取り込まれた動画像を圧縮するための動画エンコーダであり、１０７は、カメラによってキャプチャされた映像を静止画へと圧縮するための静止画エンコーダであり、１０２は、動画エンコーダ１０３及び静止画エンコーダ１０７を制御し、記録を制御するエンコード制御部である。１０４は、動画エンコーダによってエンコードされた動画データを一時的に格納しておく動画用バッファであり、１０８は、静止画エンコーダによってエンコードされた静止画データを一時的に格納しておくバッファである。１０６は、ユーザーにより動画撮影を停止する、若しくは静止画撮影をするためのトリガとなるトリガボタンからなる入力部であり、１０５は、入力部からトリガボタンが押され続けている時間を判定する入力時間判定部であり、１０９は、動画エンコーダ１０３及び静止画エンコーダ１０７によりエンコードされた動画データ及び静止画データを格納している動画用バッファ１０４及び静止画用バッファ１０８のデータを第１の記録媒体（図示せず）に記録する第一の記録部である。
【００１５】
図２において、図1と同じ構成要素に関しては同一の番号を付与し、説明を省略する。図１との相違点は、静止画エンコーダ１０７によってエンコードされた静止画データを格納している静止画用バッファ１０８のデータを、第２の記録媒体（図示せず）に記録する第２の記録部１１０を設けている点である。
【００１６】
以上のように構成された映像記録装置において、その動作について図１を用いて説明する。
【００１７】
まず、映像データはカメラ１０１によって取り込まれ、動画エンコーダ１０３により動画データへとエンコードされ、動画用バッファ１０４に一時保存された後、第１の記録部１０９を介して第１の記録媒体への記録が随時行われる。
【００１８】
一方で、ユーザーが、動画の記録停止、若しくは静止画記録を行いたい場合に、入力部１０６によりトリガが与えられる。その際、入力時間判定部１０５により、入力時間の測定が始まる。また、エンコード制御部１０２により、静止画エンコーダ１０７が起動され、エンコードされた静止画データが静止画用バッファ１０８に蓄積される。ここで、入力部１０６から、入力が無くなったとき、入力時間判定部１０５は入力時間の測定を止め、エンコード制御部１０２に入力時間の通知が行われる。また、入力時間が閾値ｔ１を越えたときにも、入力時間の通知が行われる。入力時間の通知を受けたエンコード制御部１０２は、動画撮影を停止するか、静止画を撮影するのかを判断し、動画を停止する場合は、動画エンコーダ１０３を停止し、動画用バッファ１０４に残っているデータを、第１の記録部１０９を介して第１の記録媒体へ記録し、静止画用バッファ１０８に残っている静止画データを破棄する。また、静止画を撮影する場合には、静止画用バッファ１０８に一時保存されている静止画データを、第１の記録部１０９を介して第１の記録媒体に記録する。
【００１９】
なお、図２に示す映像記録装置においては、静止画を撮影する場合には、静止画データは第２の記録部１１０を介して第２の記録媒体に記録する。
【００２０】
入力部１０６を用いた入力時間の判定について、図３及び図４に示すタイミング図、並びに図７に示すフローチャートを用いて、より詳細に説明する。図３は、ユーザーより押下されたトリガボタンが離されるまでの時間が閾値ｔ１よりも短かった場合におけるタイミング図である。この時の動作について図３を用いて説明すると、トリガ押下時に、入力時間判定部１０５にて入力時間の計測を開始し（Ｓ７０１）、また、カメラ１０１において、静止画映像をキャプチャし、随時、静止画エンコーダ１０７によって静止画がエンコードされ、静止画用バッファ１０８に一時保存される（Ｓ７０２）。入力時間の計測時間が閾値１を超えることなく、トリガボタンがユーザーにより離されたとき、エンコード制御部１０２により静止画記録を行うことを判断し（Ｓ７０４でＹｅｓの時）、静止画用バッファ１０８に一時保存されたデータを、第１の記録部１０９を介して第１の記録媒体へ記録する（Ｓ７０５）。
【００２１】
なお、図２に示す映像記録装置においては、静止画用バッファ１０８に一時保存されたデータは、第２の記録部１１０を介して第２の記録媒体に記録する。
【００２２】
また、図４は、ユーザーより押下されたトリガボタンが離されるまでの時間が閾値ｔ１よりも長かった場合におけるタイミング図である。この時の動作について図３を用いて説明すると、入力時間判定部１０５により閾値ｔ１を越えた時点でエンコード制御部１０２に通知が行われ（Ｓ７０３でＹｅｓの時）、この通知により、エンコード制御部１０２は静止画の撮影は行わないと判断し、静止画用バッファ１０８に一時保存したデータを破棄する（Ｓ７０６）。その後、トリガボタンが離された時点でエンコード制御部は、動画撮影を停止し、動画用バッファ１０４に残っている未記録のデータを、第１の記録部１０９を介して第１の記録媒体に記録し、処理を終了する（Ｓ７０８）。
【００２３】
以上のように、本実施の形態１では、トリガボタン押下から離すまでの時間が閾値ｔ１を超えた場合に、動画撮影を停止し、トリガボタン押下から離すまでの時間が閾値ｔ１より短い場合には、静止画撮影を行うことにより、動画撮影中のトリガボタン操作において、動画撮影を停止するか、静止画撮影を行うかを選択することが可能となる。
【００２４】
（実施の形態２）
以下、本発明の映像記録装置の実施の形態２について、図面を用いて詳細に説明する。
【００２５】
本実施の形態２における映像記録装置の構成は、図１及び図２であり、実施の形態１と同一であるため、各構成要素の説明は省略する。実施の形態１との相違点は、トリガボタン押下から離すまでの時間が閾値ｔ２を超えた場合に、静止画撮影を行い、トリガボタン押下から離すまでの時間が閾値ｔ２より短い場合には、動画撮影を停止する点である。
【００２６】
その動作の詳細について、図５及び図６に示すタイミング図、並びに図８に示すフローチャートを用いて説明する。図５は、ユーザーより押下されたトリガボタンが離されるまでの時間が閾値ｔ２よりも短かった場合におけるタイミング図である。図８に示すフローチャートにおいて、トリガ押下時に、入力時間判定部にて入力時間の計測を開始し（Ｓ８０１）、また、カメラ１０１において、静止画映像をキャプチャし、随時、静止画エンコーダ１０７によって静止画がエンコードされ、静止画用バッファ１０８に一時保存される（Ｓ８０２）。計測時間が閾値ｔ２を超えずに、トリガボタンがユーザーにより離されたとき、エンコード制御部１０２により静止画の撮影は行わないと判断し（Ｓ８０４のＹｅｓの時）、動画撮影を停止し、動画用バッファ１０４に残っている未記録のデータを、第１の記録部１０９を介して第１の記録媒体に記録し（Ｓ８０５）、静止画用バッファ１０８に一時保存したデータを破棄する（Ｓ８０６）。また、図６は、ユーザーより押下されたトリガボタンが離されるまでの時間が閾値ｔ２よりも長かった場合におけるタイミング図であり、入力時間判定部１０５により閾値ｔ２を越えた時点でエンコード制御部１０２に通知が行われ（Ｓ８０３のＹｅｓの時）、その通知により、エンコード制御部１０２は静止画記録を行うことを判断し、静止画用バッファ１０８に一時保存されたデータを、第１の記録部１０９を介して第１の記録媒体へ記録する（Ｓ８０７）。
【００２７】
なお、図２に示す映像記録装置においては、静止画用バッファ１０８に一時保存されたデータは、第２の記録部１１０を介して第２の記録媒体に記録する。
【００２８】
以上のように、本実施の形態２では、トリガボタン押下から離すまでの時間が閾値ｔ２を超えた場合に、静止画撮影を行い、トリガボタン押下から離すまでの時間が閾値ｔ２より短い場合には、動画撮影を停止することにより、動画撮影中のトリガボタン操作において、動画撮影を停止するか、静止画撮影を行うかを選択することが可能となる。
【００２９】
なお、本発明の映像記録装置が記録する記録媒体としては、映像記録装置に装填可能なＳＤカード等の半導体メモリや、ＤＶＤ等の光ディスク、磁気テープ、あるいは映像記録装置内部に保持するハードディスク等である。
【産業上の利用可能性】
【００３０】
本発明に係る映像記録装置は、ユーザーがトリガボタンを押下してから、トリガボタンを離すまでの時間によって、動画撮影中に静止画撮影を行うのか、動画撮影を停止するのかを判断するため、動画撮影中の静止画撮影時に誤って動画を停止させることなく静止画を撮影できるという利点を有し、装置の小型化及び、複数のボタンによる操作の煩雑性をなくすことで、ユーザーは容易に操作ができ有用である。
【図面の簡単な説明】
【００３１】
【図１】本発明の一実施の形態における映像記録装置の構成を示すブロック図
【図２】本発明の他の実施の形態における映像記録装置の構成を示すブロック図
【図３】本発明の一実施の形態におけるトリガボタンが離されるまでの時間が閾値ｔ１以下であるタイミング図
【図４】本発明の一実施の形態におけるトリガボタンが離されるまでの時間が閾値ｔ１以上であるタイミング図
【図５】本発明の他の実施の形態におけるトリガボタンが離されるまでの時間が閾値ｔ２以下であるタイミング図
【図６】本発明の他の実施の形態におけるトリガボタンが離されるまでの時間が閾値ｔ２以上であるタイミング図
【図７】本発明の一実施の形態におけるフローチャート
【図８】本発明の他の実施の形態におけるフローチャート
【符号の説明】
【００３２】
１０１  カメラ
１０２  エンコード制御部
１０３  動画エンコーダ
１０４  動画用バッファ
１０５  入力時間判定部
１０６  入力部
１０７  静止画エンコーダ
１０８  静止画用バッファ
１０９  第一の記録部
１１０  第二の記録部
【図１】
2007243766.tif 000003
【図２】
2007243766.tif 000004
【図３】
2007243766.tif 000005
【図４】
2007243766.tif 000006
【図５】
2007243766.tif 000007
【図６】
2007243766.tif 000008
【図７】
2007243766.tif 000009
【図８】
2007243766.tif 000010